(57)【要約】   ユーザのリテンションを下げることなく、かつＣＶＲを高めることができるタイムライン領域におけるオブジェクト表示方法を提供する。  本発明は、Ｗｅｂサービスにおけるユーザのコミュニケーションメッセージであるタイムラインを管理するオブジェクト表示装置が、前記Ｗｅｂサービスの前記タイムライン領域上で所定期間内にユーザがアクションをしたか否かを判断し、前記アクションをしていないと判断された場合には、第１のオブジェクトを前記タイムライン領域に表示し、前記アクションをしていると判断された場合には、前記第１のオブジェクトは異なる第２のオブジェクトをタイムライン領域に表示することを有するタイムライン領域におけるオブジェクト表示方法、である。
2014046272.tif 000002
【特許請求の範囲】
【請求項１】
Ｗｅｂサービスにおけるユーザのコミュニケーションメッセージであるタイムラインを管理するオブジェクト表示装置が、
前記Ｗｅｂサービスの前記タイムライン領域上で所定期間内にユーザがアクションをしたか否かを判断し、
前記アクションをしていないと判断された場合には、第１のオブジェクトを前記タイムライン領域に表示し、前記アクションをしていると判断された場合には、前記第１のオブジェクトは異なる第２のオブジェクトをタイムライン領域に表示することを有するタイムライン領域におけるオブジェクト表示方法。
【請求項２】
前記アクションをしたか否かの判断は、サーバに前記Ｗｅｂサービスの前記タイムライン領域上で所定期間内にユーザがアクションをしたか否かを問い合わせることを含む、
請求項１記載の表示方法。
【請求項３】
前記Ｗｅｂサービスの前記タイムライン領域におけるコミニュケーションメッセージに対して所定のイベントが発生したか否かを判断し、
前記所定のイベントが発生したと判断された場合には、前記第１のオブジェクト又は第２のオブジェクトを一定期間非表示にすることをさらに具備する請求項１記載の表示方法。
【請求項４】
コミニュケーションユーザがいるか否かを判断し、
コミニュケーションユーザがいないと判断された場合には、コミニュケーションユーザを登録するための画面を表示し、
前記第１のオブジェクトを前記Ｗｅｂサービスの前記タイムライン領域に表示することをさらに具備する請求項１記載の方法。
【請求項５】
前記第１のオブジェクトは、アプリケーションプログラムの告知又はバナー広告であり、前記第２のオブジェクトはコミニュケーションユーザのレコメンドである請求項１記載のオブジェクトの表示方法。
【請求項６】
Ｗｅｂサービスにおけるユーザのコミュニケーションメッセージであるタイムラインを管理するオブジェクト表示装置に、
タイムライン機能を有するアプリケーションプログラムの前記Ｗｅｂサービスの前記タイムライン領域におけるコミニュケーションメッセージに対して所定のイベントが発生したか否かを判断し、
前記所定のイベントが発生したと判断された場合には、前記タイムライン領域に表示されているコミニュケーションメッセージ以外のオブジェクトを一定期間非表示にするタイムライン領域におけるオブジェクト表示方法。
【請求項７】
サーバが、
Ｗｅｂサービスにおけるユーザのコミュニケーションメッセージであるタイムラインを管理する端末からの前記Ｗｅｂサービスの前記タイムライン領域上で所定期間内にユーザがアクションをしたか否かの問い合わせを受信し、
前記受信した問い合わせに対して、問い合わせ対象のユーザのアクションが行なわれた日時情報を参照して、前記所定期間内にアクションをしたか否かを返信し、
前記端末からの前記返信に基づく要求に基づいて、第１のオブジェクト又は第２のオブジェクトを前記端末に送信するオブジェクト送信方法。
【請求項８】
Ｗｅｂサービスにおけるユーザのコミュニケーションメッセージであるタイムラインを管理するオブジェクト表示装置の前記Ｗｅｂサービスの前記タイムライン領域上で所定期間内にユーザがアクションをしたか否かを判断する判断部と、
前記アクションをしていないと判断された場合には、第１のオブジェクトを前記タイムライン領域に表示し、前記アクションをしていると判断された場合には、前記第１のオブジェクトは異なる第２のオブジェクトを前記タイムライン領域に表示する表示部と
を有するオブジェクト表示装置。
【請求項９】
Ｗｅｂサービスにおけるユーザのコミュニケーションメッセージであるタイムラインを管理するオブジェクト表示装置において、
タイムライン機能を有するアプリケーションプログラムの前記Ｗｅｂサービスの前記タイムライン領域におけるコミニュケーションメッセージに対して所定のイベントが発生したか否かを判断する判断部と、
前記所定のイベントが発生したと判断された場合には、前記タイムライン領域に表示されているコミニュケーションメッセージ以外のオブジェクトを一定期間非表示にする非表示部とを有するオブジェクト表示装置。
【請求項１０】
Ｗｅｂサービスにおけるユーザのコミュニケーションメッセージであるタイムラインを管理する端末からの前記Ｗｅｂサービスの前記タイムライン領域上で所定期間内にユーザがアクションをしたか否かの問い合わせを受信する受信部と、
前記受信した問い合わせに対して、問い合わせ対象のユーザのアクションが行なわれた日時情報を参照して、前記所定期間内にアクションをしたか否かを返信する返信部と、
前記端末からの前記返信に基づく要求に基づいて、第１のオブジェクト又は第２のオブジェクトを前記端末に送信する送信部と
を有するサーバ。
【請求項１１】
Ｗｅｂサービスにおけるユーザのコミュニケーションメッセージであるタイムラインを管理するオブジェクト表示装置に、
前記Ｗｅｂサービスの前記タイムライン領域上で所定期間内にユーザがアクションをしたか否かを判断させ、
前記アクションをしていないと判断された場合には、第１のオブジェクトを前記タイムライン領域に表示し、前記アクションをしていると判断された場合には、前記第１のオブジェクトは異なる第２のオブジェクトを前記タイムライン領域に表示させる、オブジェクト表示プログラムを記録したコンピュータ読み取り可能な情報記録媒体。
【請求項１２】
Ｗｅｂサービスにおけるユーザのコミュニケーションメッセージであるタイムラインを管理するオブジェクト表示装置に、
タイムライン機能を有するアプリケーションプログラムの前記Ｗｅｂサービスの前記タイムライン領域におけるコミニュケーションメッセージに対して所定のイベントが発生したか否かを判断させ、
前記所定のイベントが発生したと判断された場合には、前記タイムライン領域に表示されているコミニュケーションメッセージ以外のオブジェクトを一定期間非表示にさせる、オブジェクト表示プログラムを記録したコンピュータ読み取り可能な情報記録媒体。
【請求項１３】
サーバに、
Ｗｅｂサービスにおけるユーザのコミュニケーションメッセージであるタイムラインを管理する端末からの前記Ｗｅｂサービスの前記タイムライン領域上で所定期間内にユーザがアクションをしたか否かの問い合わせを受信させ、
前記受信した問い合わせに対して、問い合わせ対象のユーザのアクションが行なわれた日時情報を参照して、前記所定期間内にアクションをしたか否かを返信させ、
前記端末からの返信に基づく要求に基づいて、第１のオブジェクト又は第２のオブジェクトを前記端末に送信させる、オブジェクト送信プログラムを記録したコンピュータ読み取り可能な情報記録媒体。
【発明の詳細な説明】
【技術分野】
【０００１】
本発明は、タイムライン領域におけるオブジェクト表示方法、オブジェクト表示装置、当該方法を実現するためのプログラムを記録した情報記録媒体に関する。
【背景技術】
【０００２】
Ｔｗｉｔｔｅｒ（登録商標）、フェイスブック（登録商標）などに代表されるＳＮＳ（ソーシャルネットワークサービス）では、タイムライン機能が提供されている。このタイムライン機能は、自分もしくはＳＮＳなどのＷｅｂサービスでつながっている人のつぶやきなどのコミュニケーションメッセージが時系列に基づいて流れていく機能を提供するものである。【０００３】
タイムライン機能の表示方法は、新しいコミニュケーションメッセージから順に上から表示され、古いメッセージは順次下に流れていき、画面上から消えて目に触れなくなる。【０００４】
一方、ゲームの告知や広告などのオブジェクトに関しては、ユーザのコミニュケーションメッセージとは別に、固定の広告枠や告知枠を設置している。
【先行技術文献】
【非特許文献】
【０００５】
【非特許文献１】ソーシャルアドについてhttp://www.spphia-it.com/content/%E3%82%BD%E3%83%BC%E3%82%B7%E3%83%A3%E3%83%AB%E5%BA%83%E5%91%8A
【非特許文献２】バナー広告についてhttp://ja.wikipedia.org/wiki/%E3%83%90%E3%83%8A%E3%83%BC
【発明の概要】
【発明が解決しようとする課題】
【０００６】
上述のように、ユーザのコミニュケーションメッセージとは別に、固定の広告枠や告知枠を設置し、ゲームの告知や広告などのオブジェクトを表示する場合、ユーザのリテンションが下がるという問題があった。【０００７】
また、従来の固定の広告枠や告知枠を設置する方法では、そのユーザインターフェイスの特性上、特に、スマートフォン、フィーチャフォンなどの携帯電話では、視認性が悪くなり、ビジネス上のＣＶＲが低くなってしまうという問題があった。ここで、ＣＶＲとは、ウェブサイトへのアクセス数（＝ページビュー）、またはユニークユーザーのうち、何割がコンバージョン（商品購入や資料請求などの、ウェブサイトから獲得できる最終成果）に至るかの割合を示す指標、である。【０００８】
本発明は、上記実情に鑑みてなされたものであり、ユーザのリテンションを下げることなく、かつＣＶＲを高めることができるＷｅｂサービスのタイムライン領域におけるオブジェクト表示方法、オブジェクト表示装置、当該方法を実現するためのプログラムを記録した情報記録媒体を提供することを目的とする。
【課題を解決するための手段】
【０００９】
本発明の第１の観点によれば、Ｗｅｂサービスにおけるユーザのコミュニケーションメッセージであるタイムラインを管理するオブジェクト表示装置が、前記Ｗｅｂサービスの前記タイムライン領域上で所定期間内にユーザがアクションをしたか否かを判断し、前記アクションをしていないと判断された場合には、第１のオブジェクトを前記タイムライン領域に表示し、前記アクションをしていると判断された場合には、前記第１のオブジェクトは異なる第２のオブジェクトをタイムライン領域に表示することを有するタイムライン領域におけるオブジェクト表示方法、である。【００１０】
本発明の第２の観点によれば、Ｗｅｂサービスにおけるユーザのコミュニケーションメッセージであるタイムラインを管理するオブジェクト表示装置に、タイムライン機能を有するアプリケーションプログラムの前記Ｗｅｂサービスの前記タイムライン領域におけるコミニュケーションメッセージに対して所定のイベントが発生したか否かを判断し、前記所定のイベントが発生したと判断された場合には、前記タイムライン領域に表示されているコミニュケーションメッセージ以外のオブジェクトを一定期間非表示にするタイムライン領域におけるオブジェクト表示方法、である。【００１１】
本発明の第３の観点によれば、サーバが、Ｗｅｂサービスにおけるユーザのコミュニケーションメッセージであるタイムラインを管理する端末からの前記Ｗｅｂサービスの前記タイムライン領域上で所定期間内にユーザがアクションをしたか否かの問い合わせを受信し、前記受信した問い合わせに対して、問い合わせ対象のユーザのアクションが行なわれた日時情報を参照して、前記所定期間内にアクションをしたか否かを返信し、前記端末からの前記返信に基づく要求に基づいて、第１のオブジェクト又は第２のオブジェクトを前記端末に送信するオブジェクト送信方法、である。
【発明の効果】
【００１２】
本発明によれば、ユーザのリテンションを下げることなく、かつＣＶＲを高めることができるＷｅｂサービスのタイムライン領域におけるオブジェクト表示方法、オブジェクト表示装置、当該方法を実現するためのプログラムを記録した情報記録媒体を提供することができる。
【図面の簡単な説明】
【００１３】
【図１】本発明の実施の形態に係るタイムライン領域におけるオブジェクト表示を行なう情報機器が使用される環境を説明するための図である。
【図２】本発明の実施形態のサーバ群２の構成の一例を示す図である。
【図３】本発明の実施の形態に係るタイムライン領域におけるオブジェクト表示方法を実現するための動作を行なうサーバ１０の構成を示す図である。
【図４】ＳＮＳプログラム２２のデータベース２２−１を示す図である。
【図５】本発明の実施の形態に係る携帯電話（スマートフォン）４−１の構成を示す図である。
【図６】クライアントサイドオブジェクト表示処理プログラム４７−３のデータベース４７−２を示す図である。
【図７】本実施の形態に係るオブジェクト表示方法を説明するためのフローチャートである。
【図８】本実施の形態に係るオブジェクト表示方法のＳ５におけるタイムライン領域上で所定期間内にユーザがアクションをしたか否かの判断の一例を示すフローチャートである。
【図９】本実施の形態に係るオブジェクト表示方法のクライアントサイドでＳ５における処理を説明するためのフローチャートである。
【図１０】タイムライン領域においてアプリケーション告知枠が表示されている場合に、タイムライン領域におけるユーザのコメントに対して書き込みを行なうなどのアクションを行なった場合の処理を説明するためのフローチャートである。
【図１１】本実施の形態に係るオブジェクト表示方法における携帯電話４−１の画面の一例を示す図である。
【図１２】タイムライン領域においてアプリケーション告知枠が表示されている場合に、タイムライン領域におけるユーザのコメントに対して書き込みを行なうなどのアクションを行なった場合の携帯電話４−１の画面を示す図である。
【図１３】タイムライン領域において表示されるアプリケーション告知枠がストリームの一部として流れた状態を説明するための携帯電話４−１の画面の一例を示す図である。
【図１４】タイムライン領域に広告を表示した携帯電話４−１の画面の一例を示す図である。
【発明を実施するための形態】
【００１４】
以下、図面を参照して、本発明の実施の形態に係るＷｅｂサービス(ＳＮＳサービスを含む。）のタイムライン領域におけるオブジェクト表示方法について説明する。
【００１５】
図１は、本発明の実施の形態に係るタイムライン領域におけるオブジェクト表示を行なう情報機器が使用される環境を説明するための図である。
【００１６】
同図に示すように、インターネットなどのネットワーク１にはサーバ群２、本発明の実施の形態に係るオブジェクト表示を行なう情報機器である複数のコンピュータ３−１、３−２及び携帯電話４−１、４−２がアクセスポイント５或いは基地局６を介してネットワーク（例えば、インターネット）１に接続されている。
【００１７】
サーバ群２は、１つのコンピュータで実現されても良いし、その機能毎に、例えば、Ｗｅｂサーバ、処理サーバ、データベースサーバなどの複数のコンピュータで構成されてもよく、本発明の実施の形態においては、その構成は問わない。
【００１８】
コンピュータ３は、一般的なデスクトップコンピュータの他、モバイルコンピュータ、ラップトップコンピュータ、タブレット型端末などを含む。
【００１９】
携帯電話４は、スマートフォン、フィーチャー・フォン（feature phone)などを含み、例えば、アンドロイド（Ｒ）、ｉＯＳ（Ｒ）などのＯＳ上で動作する携帯電話である。
【００２０】
図２は、本発明の実施形態のサーバ群２の構成の一例を示す図である。
【００２１】
同図に示すように、例えば、サーバ群２は、フロントサーバ群２−１、データベースサーバ群２−２及びバッチサーバ群２−３で構成される。
【００２２】
フロントサーバ群２−１は、クライアントとの通信リクエストを受けて即実行が可能な各種処理の実行出力の整形を担当する。例えば、Ｗｅｂサーバなどである。
【００２３】
データベースサーバ群２−２は、例えば、ソーシャルネットワークサービス処理の中核をなす処理を行なう処理サーバである。
【００２４】
バッチサーバ群２−３は、定期的にデータをデータベースサーバ群２−２から取得して、定期処理を施し、その結果をデータベースサーバ群２−２に記録する。
【００２５】
本実施の形態では、説明を簡単にするために、１つのサーバ上で動作を行なう場合について説明するが、上述のように、サーバの構成はこれに限られるものではないことは言うまでもない。
【００２６】
図３は、本発明の実施の形態に係るタイムライン領域におけるオブジェクト表示方法を実現するための動作を行なうサーバ１０の構成を示す図である。
【００２７】
同図に示すように、サーバ１０は、バス１１にＣＰＵ１２、通信部１３、メモリ１４、及び記憶装置１５が接続されている。
【００２８】
ＣＰＵ１２は、記憶装置１５に記憶された本発明の実施の形態に係るサーバサイドオブジェクト表示処理プログラム２４と協働して、本発明の実施の形態に係るオブジェクト表示処理を行なう他、サーバ１０全体の制御を司るものである。
【００２９】
通信部１３は、ネットワーク１を介したクライアントなどの外部装置との通信の制御を司る。
【００３０】
メモリ１４は、サーバサイドオブジェクト表示処理プログラム２４を実行する際に必要とされるワークエリアなどとして使用される。
【００３１】
記憶装置１５は、オブジェクト表示処理に必要とされるプログラム、データを格納するためのものであり、例えば、ハードディスクドライブ（ＨＤＤ）、光ディスクドライブ、ＤＶＤ、ＭＯなどの大容量記憶装置である。この記憶装置１５には、ＯＳ（オペレーティングシステム）２１、タイムライン機能を有するＳＮＳプログラム２２、ＳＮＳゲームプログラム２３及びサーバサイドオブジェクト表示処理プログラム２４が格納されている。
【００３２】
ＯＳ２１は、サーバ１０の基本的な機能を実現するためのプログラムである。
【００３３】
タイムライン機能を有するＳＮＳプログラム２２は、例えば、Ｔｗｉｔｔｅｒ（登録商標）、フェイスブック（登録商標）などのようなタイムライン機能を有するＳＮＳプログラムである。
【００３４】
タイムライン機能を有するＳＮＳプログラム２２は、データベース２２−１を有する。データベース２２−１は、図４に示すように、ユーザＩＤ３１と、携帯電話のＳＮＳのタイムライン領域においてユーザがアクションをした日時を示すアクション日時情報３２、コミニュケーションユーザ（ＳＮＳの友達）３３及びコミニュケーションユーザＩＤ３４とが関連付けて記憶されている。タイムライン機能を有するＳＮＳプログラム２２が複数ある場合には、プログラム毎に、データベースを有する。
【００３５】
ここで、ユーザのアクションとは、タイムライン領域上にコメントを書き込んだり、一言投稿をする場合などを含み、タイムライン領域における何らかのユーザアクションを意味する。
【００３６】
ＳＮＳゲームプログラム２３は、ソーシャルネットワーキングゲームを提供する。本実施の形態においては、タイムライン機能を有するＳＮＳプログラム２２、ＳＮＳゲームプログラム２３及びサーバサイドオブジェクト表示処理プログラム２４は同一のプラットフォームにおいて提供される。
【００３７】
サーバサイドオブジェクト表示処理プログラム２４は、本実施の形態に係るオブジェクト表示方法のサーバサイドの処理を司る。
【００３８】
図５は、本発明の実施の形態に係る携帯電話（スマートフォン）４−１の構成を示す図である。
【００３９】
同図に示すように、バス４１にはＣＰＵ４２、無線通信部４３、メモリ４４、電子コンパス４５、カメラ４６、記憶装置４７、タッチパネルセンサ４８、表示制御コントローラ４９が接続されている。
【００４０】
ＣＰＵ４２は、記憶装置４７に記憶された本発明の実施の形態に係るクライアントサイドオブジェクト表示処理プログラム４７−３と協働して、本発明の実施の形態に係るオブジェクト表示処理を行なう他、携帯電話４−１全体の制御を司るものである。
【００４１】
無線通信部４３は、ネットワーク１を介したサーバなどの外部装置との通信の制御を司る。また、無線通信部４３は、無線ＬＡＮ、ブルートゥース（登録商標）、ＷｉＦｉなどの無線通信機能をも有する。
【００４２】
メモリ４４は、クライアントサイドオブジェクト表示処理プログラム４７−３を実行する際に必要とされるワークエリアなどとして使用される。
【００４３】
電子コンパス４５は、地磁気センサを有し、方位を測定する。
【００４４】
カメラ４６は、撮像機能を有し、撮像した画像を記憶装置４７に格納する。
【００４５】
記憶装置４７は、本実施の形態に係るオブジェクト表示処理に必要とされるプログラム、データを格納するためのものであり、例えば、ハードディスクドライブ（ＨＤＤ）、光ディスクドライブ、ＤＶＤ、ＭＯなどの大容量記憶装置である。この記憶装置４７には、ＯＳ（オペレーティングシステム）４７−１、クライアントサイドオブジェクト表示処理プログラム４７−３のデータベース４７−２、及びクライアントサイドオブジェクト表示処理プログラム４７−３が格納されている。
【００４６】
ＯＳ４７−１は、携帯電話４−１の基本的な機能を実現するためのプログラムである。
【００４７】
データベース４７−２は、クライアントサイドオブジェクト表示処理プログラム４７−３によって動作するオブジェクト表示処理で使用されるデータを管理する。
【００４８】
データベース４７−２には、図６に示すように、サーバ１０から取得した携帯電話４−１のユーザＩＤ６１、アクセス日時情報６２、コミニュケーションユーザの有無６３、コミニュケーションユーザＩＤ６４が格納される。
【００４９】
クライアントサイドオブジェクト表示処理プログラム４７−３は、本実施の形態に係るオブジェクト表示処理の全体を司るプログラムであり、後述するフローチャートの処理を実現する。また、クライアントサイドオブジェクト表示処理プログラム４７−３は、サーバ１０のタイムライン機能を有するＳＮＳプログラム２２から配信される情報をタイムライン領域に表示するタイムライン機能を有する。ここで、タイムライン領域とは、携帯電話４−１（クライアント）の表示部に表示される領域のうち、ＳＮＳのオブジェクト（メッセージ、アプリ広告枠、友達レコメンド枠、バナー広告など）が時系列に順次表示されていく領域である。なお、本実施の形態では、ＳＮＳのオブジェクトが時系列に順次表示される領域をタイムライン領域の例として説明しているが、タイムライン領域は、Ｗｅｂサービスのオブジェクトが時系列に順次表示される領域を含むものである。
【００５０】
タッチパネルセンサ４８は、携帯電話４−１の表示部５０のタッチパネル５１へのユーザアクションを検出するセンサである。
【００５１】
表示制御コントローラ４９は、表示部５０の表示制御を行なう。
【００５２】
次に、本実施の形態に係るオブジェクト表示方法について、図７のフローチャートを参照して説明する。
【００５３】
まず、携帯電話４−１のユーザがクライアントサイドオブジェクト表示処理プログラム４７−３を起動すると（Ｓ１）、友達（コミニュケーションユーザ）がいるか否かの判断が行なわれる（Ｓ２）。このコミニュケーションユーザがいるか否かは、携帯電話４−１からサーバ１０に問い合わせを行ない、サーバ１０のサーバサイドオブジェクト表示処理プログラム２４がＳＮＳプログラム２２のデータベース２２−１を検索し、該当するユーザＩＤのコミニュケーションユーザの有無の項目３３を参照し、その結果を携帯電話４−１に返信する。携帯電話４−１は、サーバ１０からのコミニュケーションユーザの有無の結果を受信する。
【００５４】
なお、本実施の形態においては、サーバ１０に問いあわせる場合について説明したが、携帯電話４−１のオブジェクト表示処理アプリケーションプログラムのデータベース４７−２の該当するユーザＩＤのコミニュケーションユーザの有無の項目６３を参照して判断しても良い。
【００５５】
Ｓ２において、コミニュケーションユーザがいないと判断された場合には、コミニュケーションユーザの登録画面を表示し（Ｓ３）、次に、コミュニケーションユーザの登録が完了したか否かの判断を行なう（Ｓ４）。Ｓ４において、完了したと判断された場合には、Ｓ５の処理に移る。
【００５６】
図１１は、本実施の形態に係るオブジェクト表示方法における携帯電話４−１の画面の一例を示す図である。同図において、Ｇ１はコミニュケーションユーザの登録画面の一例である、Ｇ２は、登録後の初期画面の一例を示す図である。
【００５７】
Ｓ５においては、携帯電話４−１のタイムライン領域上で所定期間内にユーザがアクションをしたか否かの判断が行なわれる。ここで、ユーザのアクションとは、タイムライン領域上にコメントを書き込んだり、一言投稿をする場合などを含み、タイムライン領域における何らかのユーザアクションを意味する。
【００５８】
Ｓ５において、アクションをしたと判断された場合には、タイムライン領域上に友達レコメンド枠を表示し（Ｓ６）、Ｓ２の処理に戻る。アクションをしていないと判断された場合には、タイムライン領域上にお奨めアプリ枠を表示し（Ｓ７）、Ｓ２の処理に戻る。
【００５９】
なお、友達レコメンド枠又はお奨めアプリ枠は、判断結果に応じて、その都度、サーバ１０から取得しても良いし、携帯電話４−１に格納された以前にサーバ１０から送られたものを使用しても良い。
【００６０】
図１１のＧ３はタイムライン領域上にお奨めアプリ枠を表示した画面の一例を示す図である、Ｇ４はタイムライン領域上に友達レコメンド枠を表示した画面の一例を示す図である。なお、画面Ｇ３に示すように、お奨めアプリ枠には、当該アプリケーションプログラムでプレイしている友達が表示されている。
【００６１】
図８は、Ｓ５におけるタイムライン領域上で所定期間内にユーザがアクションをしたか否かの判断の一例を示すフローチャートである。
【００６２】
同図に示すように、クライアントサイドオブジェクト表示処理プログラム４７−３が、サーバ１０に携帯電話４−１のタイムライン領域上で所定期間内にユーザがアクションをしたか否かを問い合わせる（Ｓ１１）。
【００６３】
サーバサイドオブジェクト表示処理プログラム２４がＳＮＳプログラム１１のデータベース２２−１を検索し（Ｓ１２）、所定期間内に当該ユーザがアクションをしたか否かの判断を行なう（Ｓ１３）。具体的には、サーバサイドオブジェクト表示処理プログラム２４は、当該問い合わせをしたユーザのユーザＩＤ３１に対応するアクション日時情報３２を参照し、最後のアクション日時情報から所定期間を経過しているか否かに基づいて、所定期間内にユーザがアクションをしたか否かの判断を行なう。
【００６４】
Ｓ１３において、所定期間内にユーザがアクションをしていないと判断した場合には、所定期間内にユーザがアクションをしていない旨を携帯電話４−１に送信する（Ｓ１４）。所定期間内にユーザがアクションをしたと判断した場合には、所定期間内にユーザがアクションをした旨を携帯電話４−１に送信する（Ｓ１５）。
【００６５】
その後、クライアントサイドオブジェクト表示処理プログラム４７−３がサーバ１０から問い合わせの結果を受信する（Ｓ１６）。これにより、携帯電話４−１は所定期間内にアクションをしたか否かの判断を行なうことができる。
【００６６】
図８の例においては、サーバ１０が所定期間内にアクションをしたか否かを判断する場合について説明したが、クライアントサイドで判断を行なっても良い。
【００６７】
図９は、クライアントサイドでＳ５における処理を説明するためのフローチャートである。
【００６８】
同図に示すように、クライアントサイドオブジェクト表示処理プログラム４７−３が、サーバ１０に携帯電話４−１のアクション日時情報を問い合わせる（Ｓ２１）。サーバサイドオブジェクト表示処理プログラム２４は、アクション日時情報の問い合わせを受信すると、データベース２２−１を検索し（Ｓ２２）、当該問い合わせをしたユーザのユーザＩＤ６１に対応する最新のアクション日時情報３２を含む情報（ユーザＩＤ３１、コミニュケーションユーザの有無３３、コミニュケーションユーザＩＤ３４）を送信する（Ｓ２３）。
【００６９】
その後、クライアントサイドオブジェクト表示処理プログラム４７−３が、データベース４７−２を検索し、所定期間内にユーザがアクションをしたか否かを決定する（Ｓ２６）。
【００７０】
具体的には、受信した最新のアクション日時情報３２が示す日時から携帯電話４−１の最新のアクション日時情報６２が示す日時から所定期間経過しているか否かにより決定する。
【００７１】
次に、図１２に示すように、タイムライン領域においてアプリケーション告知枠が表示されている場合に、タイムライン領域におけるユーザのコメントに対して書き込みを行なうなどのアクションを行なった場合の処理について、図１０のフローチャートを参照して説明する。
【００７２】
タイムライン領域において表示されているコミニュケーションメッセージに対して所定のイベントが発生したか否かの判断が行なわれる（Ｓ３１）。ここで、所定のイベントとは、他人のコミニュケーションメッセージに対してコメントの書き込みを行なう、自己のメッセージの書き込みを行なうなどである。
【００７３】
所定のイベントが発生したと判断された場合には、タイムライン領域上のアプリケーション枠又は友達レコメンド枠を一定期間非表示にする（Ｓ３２）。図１２は、アプリケーション告知枠が表示されている状態の画面と、コメントの書き込みを行なうことにより、アプリケーション告知枠が非表示になった状態の画面の一例を示す図である。
【００７４】
次に、所定のイベントが発生してから一定期間が経過したか否かの判断が行なわれる（Ｓ３３）。所定のイベントが発生してから一定期間が経過したと判断された場合には、タイムライン領域上のアプリケーション告知枠又は友達レコメンド枠を再表示し（Ｓ３４）、Ｓ３１の処理に戻る。
【００７５】
なお、アプリケーション枠又は友達レコメンド枠もタイムライン領域に表示されるので、他人がコメントを投稿した場合などには、図１３に示すように、従来とは異なり、アプリ告知枠もストリームの一部として下方向に流れていくことになる。
【００７６】
また、本実施の形態では、アプリケーション枠又は友達レコメンド枠をタイムライン領域上に表示する場合について説明したがこれに限られるものではない。例えば、図１４に示すように、ユーザの属性情報に基づくターゲッティング広告を表示しても良い。
【００７７】
したがって、本実施の形態によれば、所定期間内にユーザがタイムライン領域においてアクションをしたか否かにより、タイムライン領域に異なるオブジェクトを表示することが可能である。これにより、ユーザのリテンションを下げることなく、かつＣＶＲを高めることができるタイムライン領域におけるオブジェクト表示方法を提供することができる。
【００７８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。例えば、ＳＮＳのタイムライン機能を事例にして説明を行ったが、ＳＮＳ以外のＷｅｂサービスにおける時系列上のコミュニケーションメッセージであってもよい。
【００７９】
また、実施形態に記載した手法は、計算機（コンピュータ）に実行させることができるプログラムとして、例えば磁気ディスク（フロッピー（登録商標）ディスク、ハードディスク等）、光ディスク（ＣＤ−ＲＯＭ、ＤＶＤ、ＭＯ等）、半導体メモリ（ＲＯＭ、ＲＡＭ、フラッシュメモリ等）等の記録媒体に格納し、また通信媒体により伝送して頒布することもできる。なお、媒体側に格納されるプログラムには、計算機に実行させるソフトウエア手段（実行プログラムのみならずテーブルやデータ構造も含む）を計算機内に構成させる設定プログラムをも含む。本装置を実現する計算機は、記録媒体に記録されたプログラムを読み込み、また場合により設定プログラムによりソフトウエア手段を構築し、このソフトウエア手段によって動作が制御されることにより上述した処理を実行する。なお、本明細書でいう記録媒体は、頒布用に限らず、計算機内部あるいはネットワークを介して接続される機器に設けられた磁気ディスクや半導体メモリ等の記憶媒体を含むものである。
【符号の説明】
【００８０】
１…ネットワーク、２…サーバ群、３−１、３−２…コンピュータ、４−１、４−２…携帯電話、５、６…基地局、１１…バス、１２…ＣＰＵ、１３…通信部、１４…メモリ、２１…ＯＳ（オペレーティングシステム）、２２…タイムライン機能を有するＳＮＳプログラム、２３…ＳＮＳゲームプログラム、２４…サーバサイドオブジェクト表示処理プログラム、４１…バス、４２…ＣＰＵ、４３…無線通信部、４４…メモリ、４７−１…ＯＳ、４７−２…クライアントサイドオブジェクト表示処理アプリケーションプログラムのデータベース、４７−３…クライアントサイドオブジェクト表示処理アプリケーションプログラム。
【図１】
2014046272.tif 000003
【図２】
2014046272.tif 000004
【図３】
2014046272.tif 000005
【図４】
2014046272.tif 000006
【図５】
2014046272.tif 000007
【図６】
2014046272.tif 000008
【図７】
2014046272.tif 000009
【図８】
2014046272.tif 000010
【図９】
2014046272.tif 000011
【図１０】
2014046272.tif 000012
【図１１】
2014046272.tif 000013
【図１２】
2014046272.tif 000014
【図１３】
2014046272.tif 000015
【図１４】
2014046272.tif 000016
【手続補正書】
【提出日】平成26年6月30日(2014.6.30)
【手続補正１】
【補正対象書類名】特許請求の範囲
【補正対象項目名】全文
【補正方法】変更
【補正の内容】
【特許請求の範囲】
【請求項１】
Ｗｅｂサービスにおけるユーザのメッセージを表示可能なタイムライン領域を管理するオブジェクト表示装置により、
前記Ｗｅｂサービスの前記タイムライン領域上で所定期間内に前記ユーザがアクションをしていない場合には、第１のオブジェクトを前記タイムライン領域に表示し、
前記アクションをしている場合には、前記第１のオブジェクトとは異なる第２のオブジェクトを前記タイムライン領域に表示すること
を有するタイムライン領域におけるオブジェクト表示方法。
【請求項２】
前記アクションをしたか否かの判断は、サーバに前記Ｗｅｂサービスの前記タイムライン領域上で所定期間内に前記ユーザがアクションをしたか否かを問い合わせることを含む、請求項１記載のオブジェクト表示方法。
【請求項３】
前記Ｗｅｂサービスの前記タイムライン領域において所定のイベントが発生した場合には、前記第１のオブジェクト又は前記第２のオブジェクトを一定期間非表示にすることをさらに具備する請求項１又は２記載のオブジェクト表示方法。
【請求項４】
前記ユーザにコミュニケーションユーザがいない場合には、前記コミュニケーションユーザを登録するための画面を表示することをさらに具備する請求項１乃至３いずれか一項記載のオブジェクト表示方法。
【請求項５】
前記第１のオブジェクトは、アプリケーションプログラムの告知又は広告である請求項１乃至４いずれか一項記載のオブジェクト表示方法。
【請求項６】
Ｗｅｂサービスにおけるユーザのメッセージを表示可能なタイムライン領域を管理するオブジェクト表示装置により、
前記Ｗｅｂサービスの前記タイムライン領域に対してメッセージの書き込みが発生した場合には、前記タイムライン領域に表示されているメッセージ以外のオブジェクトを一定期間非表示にするタイムライン領域におけるオブジェクト表示方法。
【請求項７】
サーバが、
Ｗｅｂサービスにおけるユーザのメッセージを表示可能なタイムライン領域を管理する端末からの問い合わせを受信し、
前記受信した問い合わせに対して、前記Ｗｅｂサービスの前記タイムライン領域上で所定期間内に前記ユーザがアクションをしていない場合には、第１のオブジェクトを前記端末に送信し、前記アクションをしている場合には、前記第１のオブジェクトとは異なる第２のオブジェクトを前記端末に送信するオブジェクト送信方法。
【請求項８】
Ｗｅｂサービスにおけるユーザのメッセージを表示可能なタイムライン領域を管理するオブジェクト表示装置において、
前記Ｗｅｂサービスの前記タイムライン領域上で所定期間内に前記ユーザがアクションをしていない場合には、第１のオブジェクトを前記タイムライン領域に表示し、前記アクションをしている場合には、前記第１のオブジェクトとは異なる第２のオブジェクトを前記タイムライン領域に表示する表示部を有するオブジェクト表示装置。
【請求項９】
Ｗｅｂサービスにおけるユーザのメッセージを表示可能なタイムライン領域を管理するオブジェクト表示装置において、
前記Ｗｅｂサービスの前記タイムライン領域に対してメッセージの書き込みが発生した場合には、前記タイムライン領域に表示されているメッセージ以外のオブジェクトを一定期間非表示にする非表示部を有するオブジェクト表示装置。
【請求項１０】
Ｗｅｂサービスにおけるユーザのメッセージを表示可能なタイムライン領域を管理する端末からの問い合わせを受信する受信部と、
前記受信した問い合わせに対して、前記Ｗｅｂサービスの前記タイムライン領域上で所定期間内に前記ユーザがアクションをしていない場合には、第１のオブジェクトを前記端末に送信し、前記アクションをしている場合には、前記第１のオブジェクトとは異なる第２のオブジェクトを前記端末に送信する送信部と
を有するサーバ。
【請求項１１】
Ｗｅｂサービスにおけるユーザのメッセージを表示可能なタイムライン領域を管理するオブジェクト表示装置に、
前記Ｗｅｂサービスの前記タイムライン領域上で所定期間内に前記ユーザがアクションをしていない場合には、第１のオブジェクトを前記タイムライン領域に表示させ、
前記アクションをしている場合には、前記第１のオブジェクトとは異なる第２のオブジェクトを前記タイムライン領域に表示させる、オブジェクト表示プログラムを記録したコンピュータ読み取り可能な情報記録媒体。
【請求項１２】
Ｗｅｂサービスにおけるユーザのメッセージを表示可能なタイムライン領域を管理するオブジェクト表示装置により、
前記Ｗｅｂサービスの前記タイムライン領域に対してメッセージの書き込みが発生した場合には、前記タイムライン領域に表示されているメッセージ以外のオブジェクトを一定期間非表示にさせる、オブジェクト表示プログラムを記録したコンピュータ読み取り可能な情報記録媒体。
【請求項１３】
サーバに、
Ｗｅｂサービスにおけるユーザのメッセージを表示可能なタイムライン領域を管理する端末からの問い合わせを受信させ、
前記受信した問い合わせに対して、前記Ｗｅｂサービスの前記タイムライン領域上で所定期間内に前記ユーザがアクションをしていない場合には、第１のオブジェクトを前記端末に送信させ、前記アクションをしている場合には、前記第１のオブジェクトとは異なる第２のオブジェクトを前記端末に送信させる、オブジェクト送信プログラムを記録したコンピュータ読み取り可能な情報記録媒体。
【手続補正３】
【補正対象書類名】明細書
【補正対象項目名】０００１
【補正方法】変更
【補正の内容】
【０００１】
本発明は、タイムライン領域におけるオブジェクト表示方法、オブジェクト送信方法、オブジェクト表示装置、サーバ及び当該方法を実現するためのプログラムを記録した情報記録媒体に関する。
【手続補正４】
【補正対象書類名】明細書
【補正対象項目名】０００８
【補正方法】変更
【補正の内容】
【０００８】
本発明は、上記実情に鑑みてなされたものであり、ユーザのリテンションを下げることなく、かつＣＶＲを高めることができるＷｅｂサービスのタイムライン領域におけるオブジェクト表示方法、オブジェクト送信方法、オブジェクト表示装置、サーバ及び当該方法を実現するためのプログラムを記録した情報記録媒体を提供することを目的とする。
【手続補正５】
【補正対象書類名】明細書
【補正対象項目名】０００９
【補正方法】変更
【補正の内容】
【０００９】
本発明の第１の観点によれば、Ｗｅｂサービスにおけるユーザのメッセージを表示可能なタイムライン領域を管理するオブジェクト表示装置により、前記Ｗｅｂサービスの前記タイムライン領域上で所定期間内に前記ユーザがアクションをしていない場合には、第１のオブジェクトを前記タイムライン領域に表示し、前記アクションをしている場合には、前記第１のオブジェクトとは異なる第２のオブジェクトを前記タイムライン領域に表示することを有するタイムライン領域におけるオブジェクト表示方法、である。
【手続補正６】
【補正対象書類名】明細書
【補正対象項目名】００１０
【補正方法】変更
【補正の内容】
【００１０】
本発明の第２の観点によれば、Ｗｅｂサービスにおけるユーザのメッセージを表示可能なタイムライン領域を管理するオブジェクト表示装置により、前記Ｗｅｂサービスの前記タイムライン領域に対してメッセージの書き込みが発生した場合には、前記タイムライン領域に表示されているメッセージ以外のオブジェクトを一定期間非表示にするタイムライン領域におけるオブジェクト表示方法、である。
【手続補正７】
【補正対象書類名】明細書
【補正対象項目名】００１１
【補正方法】変更
【補正の内容】
【００１１】
本発明の第３の観点によれば、サーバが、Ｗｅｂサービスにおけるユーザのメッセージを表示可能なタイムライン領域を管理する端末からの問い合わせを受信し、前記受信した問い合わせに対して、前記Ｗｅｂサービスの前記タイムライン領域上で所定期間内に前記ユーザがアクションをしていない場合には、第１のオブジェクトを前記端末に送信し、前記アクションをしている場合には、前記第１のオブジェクトとは異なる第２のオブジェクトを前記端末に送信するオブジェクト送信方法、である。
【手続補正８】
【補正対象書類名】明細書
【補正対象項目名】００１２
【補正方法】変更
【補正の内容】
【００１２】
本発明によれば、ユーザのリテンションを下げることなく、かつＣＶＲを高めることができるＷｅｂサービスのタイムライン領域におけるオブジェクト表示方法、オブジェクト送信方法、オブジェクト表示装置、サーバ及び当該方法を実現するためのプログラムを記録した情報記録媒体を提供することができる。
【国際調査報告】
2014046272.tif 000017
2014046272.tif 000018
2014046272.tif 000019
2014046272.tif 000020